(57)【要約】【課題】取り外し不要で側面開口部の変形に応じて変形する側面カバーを備えた折り畳み収納式舞台を提供する。【解決手段】床板２、2aを直立させる様に折り畳み変形可能な舞台１において、該舞台１の変形に応じて相対的に前後に遠近移動する左右側縁の前端及び後端束柱３、４の一方の外側面に、軸線を鉛直線上に合致させた巻取り力を有する巻取ロール５を回転自在に設け、該巻取ロール５に巻回させた帯状から成る側面カバー６の先端6aを前記前端及び後端束柱３、４の他方の外側面に固着する。【選択図】図１
2018114069.tif 000002
【特許請求の範囲】
【請求項１】
床板を直立させる様に折り畳み変形可能な舞台において、該舞台の変形に応じて相対的に前後に遠近移動する左右側縁の前端及び後端束柱の一方の外側面に、軸線を鉛直線上に合致させた巻取り力を有する巻取ロールを回転自在に設け、該巻取ロールに巻回させた帯状シートから成る側面カバーの先端を前記前端及び後端束柱の他方の外側面に固着したことを特徴とする折り畳み収納式舞台。
【請求項２】
壁に凹設された格納庫の床面上に直立固定した前端束柱と、該前端束柱と同一高にして、前後動可能に車輪を設けた後端束柱とを対向配置し、前端及び後端束柱の上部には水平状態と直立状態に俯仰可能な前方及び後方大引の基端を枢着すると共に、前方及び後方大引を連結部を介して屈伸可能に連結することにより、前方及び後方大引を水平に伸展させることで前方及び後方大引上に床板を水平配置した舞台に変形させ、伸展状態の前方及び後方大引を二つ折りに屈曲させた床板の直立状態で格納庫内に収容可能と成したことを特徴とする請求項１記載の折り畳み収納式舞台。
【請求項３】
上記左右側縁の前端及び後端束柱が左右方向で平行に配置されている場合、前後一直線上に側面カバーが繰り出される様に、内側に有する一方の束柱と巻取ロール又は側面カバーの先端の固定部との間にスペーサを介装したことを特徴とする請求項２記載の折り畳み収納式舞台。
【発明の詳細な説明】
【技術分野】
【０００１】
本発明は、不使用時に床板を直立させて収納する折り畳み収納式舞台に関する。
【背景技術】
【０００２】
従来から体育館や各種ホール等で設置される舞台としては、不使用時に場所の有効利用を図るため舞台を起立変形して壁に凹設された格納庫に直立収納できる壁面収納舞台が見受けられる（例えば特許文献１参照）。
【０００３】
この壁面収納舞台は、床板を二分した中央連結部における昇降脚と、格納庫内に立設した固定前脚と車輪付き後脚によって床板の水平状態を支持し、格納庫内前方に電動ワイヤウィンチを設置してワイヤを昇降脚下部に備えたアイドルローラの下に連繋通過させると共にその先端を後脚に連結し、前記ウィンチによるワイヤの巻取り操作で昇降脚を上昇させて床板を折り立て変形させて舞台を格納庫に収納する様に成している。
【先行技術文献】
【特許文献】
【０００４】
【特許文献１】実用新案登録第２５１５９７４号公報
【発明の概要】
【発明が解決しようとする課題】
【０００５】
ところで、上記構成の舞台では、この舞台床板を水平に伸展させた状態で、舞台床板と舞台が設置される室内床面との隙間（開口部）を幕板で塞ぎ、舞台床下を隠蔽したり、舞台床下へのボール等の異物の侵入を防止している。
【０００６】
具体的には、舞台正面の開口部は舞台が変形しても何ら変化しないため、舞台左右端の車輪付き後脚間に帯状の幕板が架設されるが、舞台側面の開口部は、舞台の変形に応じて変形するため、側面開口部用の幕板は、舞台変形時に装着され、舞台収納変形時に離脱する様に舞台適所に着脱自在に設けられている。
【０００７】
しかしながら、側面開口部用の幕板の着脱作業は甚だ面倒で手間を要するといった課題を有しており、又舞台収納変形時にその幕板を外し忘れると、幕板が破損したり、舞台が故障するといった不具合を招来していた。
【０００８】
そこで、本発明では、取り外し不要で側面開口部の変形に応じて変形する側面カバーを備えた折り畳み収納式舞台を提供することを目的としている。
【課題を解決するための手段】
【０００９】
上記課題に鑑み、本発明の折り畳み収納式舞台は、床板を直立させる様に折り畳み変形可能な舞台において、該舞台の変形によって相対的に前後に遠近移動する左右側縁の前端及び後端束柱の一方の外側面に、軸線を鉛直線上に合致させた巻取り力を有する巻取ロールを回転自在に設け、該巻取ロールに巻回させた帯状シートから成る側面カバーの先端を前記前端及び後端束柱の他方の外側面に固着したことを特徴とする。
又、折り畳み収納式舞台は、壁に凹設された格納庫の床面上に直立固定した前端束柱と、該前端束柱と同一高にして、前後動可能に車輪を設けた後端束柱とを対向配置し、前端及び後端束柱の上部には水平状態と直立状態に俯仰可能な前方及び後方大引の基端を枢着すると共に、前方及び後方大引を連結部を介して屈伸可能に連結することにより、前方及び後方大引を水平に伸展させることで前方及び後方大引上に床板を水平配置した舞台に変形させ、伸展状態の前方及び後方大引を二つ折りに屈曲させた床板の直立状態で格納庫内に収容可能と成したことを特徴とする。
更に、折り畳み収納式舞台において、上記左右側縁の前端及び後端束柱が左右方向で平行に配置されている場合、前後一直線上に側面カバーが繰り出される様に、内側に有する一方の束柱と巻取ロール又は側面カバーの先端の固定部との間にスペーサを介装したことを特徴とする。
【発明の効果】
【００１０】
要するに本発明は、床板を直立させる様に折り畳み変形可能な舞台の変形に応じて相対的に前後に遠近移動する左右側縁の前端及び後端束柱の一方の外側面に、軸線を鉛直線上に合致させた巻取り力を有する巻取ロールを回転自在に設け、該巻取ロールに巻回させた帯状シートから成る側面カバーの先端を前記前端及び後端束柱の他方の外側面に固着したので、側面カバーが舞台の変形で前後に遠近移動する前端及び後端束柱の間隔に対応して伸縮し、舞台床下の側面開口部を常に閉塞でき、側面幕板の役割を果たすことができ、従来の様に舞台から着脱する手間も要しない。
【００１１】
又、壁に凹設された格納庫の床面上に直立固定した前端束柱と、該前端束柱と同一高にして、前後動可能に車輪を設けた後端束柱とを対向配置し、前端及び後端束柱の上部には水平状態と直立状態に俯仰可能な前方及び後方大引の基端を枢着すると共に、前方及び後方大引を連結部を介して屈伸可能に連結することにより、前方及び後方大引を水平に伸展させることで前方及び後方大引上に床板を水平配置した舞台に変形させ、伸展状態の前方及び後方大引を二つ折りに屈曲させた床板の直立状態で格納庫内に収容可能と成した折り畳み収納式舞台においても上記構成の側面カバーを具備でき、上記と同様なる効果を奏することができる。
【００１２】
上記左右側縁の前端及び後端束柱が左右方向で平行に配置されている場合、前後一直線上に側面カバーが繰り出される様に、内側に有する一方の束柱と巻取ロール又は側面カバーの先端の固定部との間にスペーサを介装したので、側面カバーは束柱の左右方向で平行に垂下した幕板として舞台床下の側面開口部を常に閉塞することができ、見栄えが良く、整然としており、側面カバーに接触して巻取ロールからの繰り出しや巻取ロールによる巻取りを妨げるものがないから、側面カバーは舞台の変形に応じて支障なく伸縮動作できる等その実用的効果甚だ大である。
【図面の簡単な説明】
【００１３】
【図１】折り畳み収納式舞台の側面図である。
【図２】床板及び根太を省略した平面図である。
【図３】図１の前方拡大図である。
【図４】図１の後方拡大図である。
【図５】図２のＡ−Ａ断面図である。
【図６】図３のＢ−Ｂ断面図である。
【図７】図３のＣ−Ｃ断面図である。
【図８】変形中の舞台の側面図である。
【図９】壁面収納状態を示す舞台の側面図である。
【図１０】折り畳み収納式舞台の第一変形例を示す平面図である。
【図１１】同上壁面収納状態を示す舞台の側面図である。
【図１２】折り畳み収納式舞台の第二変形例を示す平面図である。
【図１３】同上壁面収納状態を示す舞台の側面図である。
【発明を実施するための形態】
【００１４】
本発明に係る折り畳み収納式舞台１（以下、舞台１とも称する。）は、床板２、2aを直立させる様に折り畳み変形可能に構成され、舞台１の変形に応じて相対的に前後に遠近移動する左右側縁の前端及び後端束柱３、４の一方（図示例では前端束柱３）の外側面に、軸線を鉛直線上に合致させた内蔵スプリング等で巻取り力を有する巻取ロール５を回転自在に設け、該巻取ロール５に巻回させた帯状シートから成る側面カバー６の先端6aを前端及び後端束柱３、４の他方（図示例では後端束柱４）の外側面に固着した側方幕板装置７を装備している。
尚、側面カバー６は、説明の便宜上、図面上では図２、６、７、10、12以外では二点鎖線で示している。
【００１５】
舞台１のより具体的な構成としては、舞台設置室Ｒの壁Ｗに凹設された格納庫Ｈの床面ｆ上にアンカーボルトにて直立固定した前端束柱３と、該前端束柱３と同一高にして、前後動可能に車輪4bを設けた後端束柱４とを対向配置し、前端及び後端束柱３、４の上部には水平状態と直立状態に俯仰可能な前方及び後方大引８、９の基端を枢着すると共に、前方及び後方大引８、９を連結部10を介して屈伸可能に連結することにより、前方及び後方大引８、９を水平に伸展させることで前方及び後方大引８、９上に床板２、2aを水平配置した舞台に変形させ、伸展状態の前方及び後方大引８、９を連結部10を介して二つ折りに屈曲させた床板２、2aの直立状態で格納庫Ｈ内に収容可能と成している。
【００１６】
図２に示す様に、前端及び後端束柱３、４（以下、束柱３、４とも称する。）は、横手（左右）方向に所定間隔を置いて６本を起立配置し、前後で対応する束柱３、４は左右方向で平行に（食い違い）配置し、隣接する前端束柱３同士及び後端束柱４同士は、その上中下段が縛貫11、11ａ、11ｂで連結され、該縛貫11、11ａ、11ｂは前端及び後端束柱３、４に一体と成している（図２、６、７参照）。
尚、左右側縁の後端束柱４の後端面間には帯状の幕板4cを架設している。
【００１７】
又、束柱３、４の中間にして、後端束柱４の真正面には中間束柱12を６本起立配置しており、隣接する中間束柱12同士は、その上下段が縛貫13、13ａで一体連結されている（図２、５参照）。
そして、前端束柱３の下段縛貫11ｂと中間束柱12の下段縛貫13ａ、及び後端束柱４の下段縛貫11ｂと中間束柱12の下段縛貫13ａとは、所定間隔置きに夫々が４本の連接杆14にて枢着連結されている。
【００１８】
又、前端束柱３に枢着した前方大引８（以下、大引８とも称する。）よりも後端束柱４に枢着した後方大引９（以下、大引９とも称する。）を長く設定している。
【００１９】
これにより、前方及び後方大引８、９の水平状態では、前端及び後端束柱３、４の内向面3a、4aの上部に対し直角に突出し、垂直状態で前端及び後端束柱３、４の上端面上に直立する様に成している。
そして、前方大引８の先端と、該先端に相当する後方大引９の先端寄り部位とを相互に左右平行状態で屈伸可能に連結している。
【００２０】
後方大引９の上記先端寄り部位は、中間束柱12の上端左右より一対の舌片を後方突設したブラケット12ａ先端に枢着され、該ブラケット12ａの左右舌片間に中間束柱12に対し直角に挿通・離脱する様に回動可能と成しており、中間束柱12は後方大引９の水平状態で束柱３、４の中間となる後方大引９の先端寄り部位より下方へ直角に突出して着地し、後方大引９の直立状態で後方大引９と並列する様にブラケット12ａを介して後方大引９に連結されている。
【００２１】
前方大引８はその先端が中間束柱12間の縛貫13における前端束柱３との対向面に水平突設したブラケット15に枢着連結されている（図２、５参照）。
【００２２】
ここにブラケット15、中間束柱12上端（ブラケット12ａ）と、これらを一体連結してなる縛貫13とが前方及び後方大引８、９を屈伸させる連結部10となる。
【００２３】
そして、後方大引９にはその長さに相当する奥行きの横長矩形状の床板２をその裏面前後に複数平行配置した根太16を介して設け、前方大引８には、後方大引９との水平伸展状態で床板２の前端に該床板２と同幅にして同一平面上に連続する所定奥行きの別途床板2aを前記と同様にその裏面前後に複数平行配置した根太16を介して設けている。
尚、図２では床板２、2aは説明の便宜上二点鎖線で示し、根太16は説明の便宜上省略している。
【００２４】
かかる構成により、舞台１は前方大引８と後方大引９とをその連結部10で二つ折りに屈曲させて各床板2a、２を裏合せに折り立て変形させた状態で、最上端となる床板２の前端に対応して格納庫Ｈの天井高さが設定され、床板２が格納庫Ｈの開口部上端の壁面Ｗと同一垂直面上に位置して前記開口部を閉塞する様に、格納庫Ｈ内に収容可能と成している（図９参照）。
【００２５】
側方幕板装置７において、巻取ロール５は、その上下端部がホルダー17にて回転自在に支持され、該ホルダー17を介して左右側縁の前端束柱３の外側面に固定される。
側面カバー６は、巻取ロール５に巻取り可能な布地、合成樹脂製シート等から成り、無地、模様、色彩の有無は問わない。
側面カバー６の先端6aは、パイプ状の固定部18を固着一体化して成り、該固定部18の上下端部がブラケット18ａを介して左右側縁の後端束柱４の外側面に固定される。
【００２６】
尚、上記構成の舞台１は、図２に示す様に、左右側縁の前端及び後端束柱３、４が左右方向で平行に配置されているので、舞台１の側方で前後一直線上に側面カバー６が繰り出される様に、内側に有する一方の束柱（図示例では前端束柱３）と、巻取ロール５又は側面カバー６の先端の固定部6a（図示例では巻取ロール５）との間に角パイプから成るスペーサ19を介装している。
【００２７】
次に、舞台１の第一変形例を図10、11に、第二変形例を図12、13に基づき夫々説明する。
尚、各変形例について、上記と同一又は相当部分には同じ符号を図面に付し説明を省略する。
【００２８】
図10、11に示す舞台１の第一変形例は、前方大引８の先端と、該先端に相当する後方大引９の中間部位とを相互に左右平行状態で連結部10を介して屈伸可能に連結し、後方大引９にはその長さに相当する奥行きの床板２を設け、前方大引８と後方大引９とを二つ折りに屈曲させた床板２の直立状態で格納庫Ｈ内に収容可能と成している。
【００２９】
又、図12、13に示す舞台１の第二変形例は、前端束柱３と後端束柱４を正対配置し、前方大引８と後方大引９を同一長に設定すると共に、前方及び後方大引８、９の先端同士を連結部10を介して屈伸可能に連結し、前方及び後方大引８、９には、その長さに相当する奥行きの床板2a、２を設け、前方大引８と後方大引９とを二つ折りに屈曲させて床板2a、２を裏合せに折り立て変形させた状態で格納庫Ｈ内に収容可能と成している。
尚、本変形例では、前方及び後方大引８、９の先端は連結部10における中間束柱12上端の前後に突設したブラケット12ａに枢着されている。
又、この舞台１は、上記二例と異なり、左右側縁の前端及び後端束柱３、４が前後一直線上に配置されているので、スペーサ19は使用しない。
【００３０】
尚、上記各実施例において、当然ながら、従来の様に電動ワイヤウィンチ（図示せず）やその他の舞台変形機構を設置し、舞台変形操作を行う様に成しても良い。
【００３１】
上記の様に構成された折り畳み収納式舞台１にあっては、前方大引８と後方大引９とをその連結部10で二つ折りに屈曲させた状態では、図９、11、13の如く幕板4c上に直立する床板２が格納庫Ｈの開口部上端の壁面Ｗと同一垂直面上に位置して、その開口部を閉塞し、舞台１は格納庫Ｈ内に収容される。
【００３２】
かかる状態では、直立する前方大引８と後方大引９とをその下方で支持している前端束柱３と後端束柱４は前後で隣接し、その間隔を最短としており、この間隔に対応して前端束柱３と後端束柱４間の隙間（側面開口部）を閉塞している。
【００３３】
舞台１を壁面収納状態から舞台へ変形させるには、幕板4cを床板２と共に格納庫Ｈからその外側の後方へ引き出し、大引８、９を傾倒させる。
したがって、後端束柱４は後方へ移動して前端束柱３との間隔が延びることとなり、後端束柱４の移動に伴って側面カバー６は巻取ロール５の巻取り力に抗して後方へ繰り出され、伸長変形する側面開口部に応じて伸長し、中間束柱12が床面ｆに着地すると、床板２、2aが水平状態となって舞台１が構成される。
【００３４】
舞台１の床板２、2a下には、前端束柱３と後端束柱４との間隔が最長となる側面開口部が形成されるが、上述の通り側面カバー６はその最長間隔に対応して伸長して側面開口部を閉塞しており、側面幕板の役割を果たすことができる。
【００３５】
側面カバー６は束柱３、４の外側で平行に垂下した幕板として舞台床下の側面開口部を常に閉塞することができ、見栄えが良く、整然としており、側面カバーに接触して巻取ロールからの繰り出しや巻取ロールによる巻取りを妨げるものがないから、側面カバーは舞台の変形に応じて支障なく伸縮動作できる。
【００３６】
又、舞台１の収納変形に際しては、前記と逆の手順にて幕板4c（後端束柱４）を前方へ移動せながら床板２、2aを起立させる。
これにより前端束柱３に向かって後端束柱４が前方移動するため、側面カバー６は巻取ロール５による巻取り力により前端束柱３と後端束柱４との間隔に対応する様に巻き取られて収縮し、床板２、2aが前端及び後端束柱３、４上端に直立することにより、舞台１は上記の様に格納庫Ｈ内に収容される。
【符号の説明】
【００３７】
１  （折り畳み収納式）舞台
２  床板
2a  床板
３  前端束柱
４  後端束柱
4b  車輪
５  巻取ロール
６  側面カバー
6a    先端
７  連結部
８  前方大引
９  後方大引
18  固定部
19  スペーサ
ｆ  床面
Ｈ  格納庫
Ｗ  壁
【図１】
2018114069.tif 000003
【図２】
2018114069.tif 000004
【図３】
2018114069.tif 000005
【図４】
2018114069.tif 000006
【図５】
2018114069.tif 000007
【図６】
2018114069.tif 000008
【図７】
2018114069.tif 000009
【図８】
2018114069.tif 000010
【図９】
2018114069.tif 000011
【図１０】
2018114069.tif 000012
【図１１】
2018114069.tif 000013
【図１２】
2018114069.tif 000014
【図１３】
2018114069.tif 000015
【手続補正書】
【提出日】平成29年1月18日(2017.1.18)
【手続補正１】
【補正対象書類名】図面
【補正対象項目名】図８
【補正方法】変更
【補正の内容】
【図８】
2018114069.tif 000016